【手続補正書】
【提出日】平成27年9月18日(2015.9.18)
【手続補正１】
【補正対象書類名】明細書
【補正対象項目名】０００９
【補正方法】削除
【補正の内容】
【手続補正２】
【補正対象書類名】明細書
【補正対象項目名】００１０
【補正方法】削除
【補正の内容】
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】変更
【補正の内容】
【００１５】
本発明に係るマスカラ塗布具は、図２に示すように、塗布体２と、塗布体２に対して着脱される整形体３とを備えている。図１に示すように、塗布体２は、中空軸状の塗布ロッド１１と、塗布ロッド１１の端部に設けられる塗布部１２とを備えている。整形体３は、塗布ロッド１１に差し込み収納される整形ロッド２１と、整形ロッド２１の端部に設けられる加熱整形部２２と、加熱整形部２２の内部に設けられるヒーター２９とを備えている。ヒーター２９に対する通電状態は、オフ状態と、発熱温度が大小に異なる少なくとも２段階のオン状態とに切換え可能に構成してある。整形体３を塗布体２に装着した状態におけるヒーター２９の発熱温度が、整形体３を塗布体２から分離した状態におけるヒーター２９の発熱温度より低温に設定してあることを特徴とする。
【手続補正８】
【補正対象書類名】明細書
【補正対象項目名】００２２
【補正方法】削除
【補正の内容】
【手続補正９】
【補正対象書類名】明細書
【補正対象項目名】００２３
【補正方法】削除
【補正の内容】
【手続補正１０】
【補正対象書類名】明細書
【補正対象項目名】００２４
【補正方法】削除
【補正の内容】
【手続補正１１】
【補正対象書類名】明細書
【補正対象項目名】００２５
【補正方法】削除
【補正の内容】
【手続補正１２】
【補正対象書類名】明細書
【補正対象項目名】００２６
【補正方法】削除
【補正の内容】
【手続補正１３】
【補正対象書類名】明細書
【補正対象項目名】００２７
【補正方法】削除
【補正の内容】
【手続補正１４】
【補正対象書類名】明細書
【補正対象項目名】００２８
【補正方法】削除
【補正の内容】
【手続補正１５】
【補正対象書類名】明細書
【補正対象項目名】００２９
【補正方法】変更
【補正の内容】
【００２９】
本発明のマスカラ塗布具においては、塗布体２および整形体３でマスカラ塗布具を構成し、整形体３を塗布体２に装着した状態において、整形体３の加熱整形部２２が塗布体２の塗布ロッド１１の内部に収納されるようにした。このように、塗布体２と整形体３を備えたマスカラ塗布具によれば、整形体３を塗布体２から分離することにより、整形体３の加熱整形部２２でまつ毛を加熱しながら整形することができる。また、加熱整形部２２を塗布体２の塗布ロッド１１の内部に収納した状態で使用することにより、塗布部１２に含ませたマスカラ液をまつ毛に塗布できる。従って、本発明に係るマスカラ塗布具によれば、まつ毛を化粧する過程で、まつ毛の整形およびカール作業と、マスカラ液の塗布とをより少ない手間で連続して行なうことができる多機能化されたマスカラ塗布具を提供できる。
【手続補正１６】
【補正対象書類名】明細書
【補正対象項目名】００３７
【補正方法】変更
【補正の内容】
【００３７】
【図１】本発明に係るマスカラ塗布具の塗布体の構造を示す縦断正面図である。
【図２】塗布部を容器から取り外した状態のマスカラ塗布具の正面図である。
【図３】マスカラ塗布具の分解断面図である。
【図４】図８におけるＤ−Ｄ線断面図である。
【図５】塗布体と整形体を分離した状態の縦断正面図である。
【図６】加熱整形部の縦断正面図である。
【図７】図１におけるＥ−Ｅ線断面図である。
【図８】塗布体と整形体を結合した状態の縦断正面図である。
【図９】スイッチ構造に適用される節度構造の横断平面図である。
【図１０】スイッチノブと制御回路の関係を示す説明図である。
【図１１】ヒーターの温度制御形態を示すブロック図である。
【図１２】コンパレータの動作原理を示すタイミングチャートである。
【図１３】不使用状態におけるスイッチノブの状態を示す縦断正面図である。
【図１４】まつ毛整形時のスイッチノブの状態を示す縦断正面図である。
【図１５】まつ毛整形時のマスカラ塗布具を示す一部破断正面図である。
【図１６】図８におけるＦ−Ｆ線断面図である。
【図１７】別の実施例に係るマスカラ塗布具の要部の断面図である。
【図１８】図１７に係るヒーターの温度制御形態を示す説明図である。
【図１９】参考例に係るマスカラ塗布具の分解正面図である。
【図２０】参考例に係るマスカラ塗布具の正面図である。
【図２１】塗布部および加熱整形部の詳細を示す縦断面図である。
【図２２】図２１におけるＡ−Ａ線断面図である。
【図２３】図２１におけるＢ−Ｂ線断面図である。
【図２４】マスカラ塗布具の使用例を示す説明図である。
【図２５】まつ毛の整形状況、およびマスカラ液の塗布状況を示す説明図である。
【図２６】マスカラ塗布具の別の参考例を示す分解断面図である。
【図２７】別の参考例の分解正面図である。
【図２８】別の参考例の断面図である。
【図２９】別の参考例の断面図である。
【手続補正１７】
【補正対象書類名】明細書
【補正対象項目名】００６５
【補正方法】変更
【補正の内容】
【００６５】
図１９ないし図２５はマスカラ塗布具の参考例を示す。図１９および図２０においてマスカラ塗布具は、マスカラ液を収容する容器１と、容器１に対して着脱される塗布体２と、塗布体２に対して着脱される整形体３とで構成する。容器１は円筒状に形成してあり、その上端に塗布体２の出入口４が開口してある。出入口４の周面にはねじ軸５が形成してあり、出入口４の内面には余分に付着したマスカラ液をしごき落とすワイパー６が設けてある。ワイパー６は、ゴムまたはプラスチック材で形成した筒体からなり、その底壁にしごき開口７が形成してある。
【手続補正１８】
【補正対象書類名】明細書
【補正対象項目名】００７６
【補正方法】変更
【補正の内容】
【００７６】
図２６から図２９にマスカラ塗布具の別の参考例を示す。なお、これらの別参考例においては、上記の実施例と異なる部分を主に説明し、上記の実施例と同じ部材には同じ符号を付してその説明を省略する。図２６に示すマスカラ塗布具は、塗布ロッド１１の下端に一群の櫛歯３８を一体に成形して塗布部１２とした。櫛歯３８の直線列は、塗布ロッド１１の対向周面の二個所に配置した。また、塗布グリップ（キャップ）１０の上区画１５にねじ穴の代わりに圧嵌溝３９を周回状に形成し、整形グリップ２０のねじ軸の代わりに圧嵌リブ４０を周回状に形成した。この実施例では、整形体３を塗布体２に装着した状態において、圧嵌リブ４０が圧嵌溝３９に係合して、整形体３の装着状態を維持できる。
【手続補正１９】
【補正対象書類名】明細書
【補正対象項目名】００８１
【補正方法】変更
【補正の内容】
【００８１】
なお、図１９に示す参考例では、塗布体２の塗布部１２と、整形体３の加熱整形部２２とは、内外に対向できるように各ロッド１１・２１の長さを設定したが、環境温度が高く、マスカラ液の予備加熱を必要としない場合には、整形ロッド２１の長さを短くすることができ、これに伴い、整形ロッド２１によるヒーター２９の熱拡散を抑制することができる。また、整形ロッド２１は、ヒーター２９に電力を供給できる構造であることを満足できる限り、熱伝導性の低い素材や形状であることが好ましく、例えば、ポリプロピレン、ＡＢＳ、フッ化ビニリデン、軟質ＰＶＣ、ポリスチレン、アクリルスチロールなどを適用できる。さらに、整形ロッド２１は発泡成形品、なかでも独立発泡成形品で形成することが好ましい。
【手続補正２０】
【補正対象書類名】特許請求の範囲
【補正対象項目名】全文
【補正方法】変更
【補正の内容】
【特許請求の範囲】
【請求項１】
塗布体（２）と、塗布体（２）に対して着脱される整形体（３）とを備えており、
塗布体（２）は、中空軸状の塗布ロッド（１１）と、塗布ロッド（１１）の端部に設けられる塗布部（１２）とを備えており、
整形体（３）は、塗布ロッド（１１）に差し込み収納される整形ロッド（２１）と、整形ロッド（２１）の端部に設けられる加熱整形部（２２）と、加熱整形部（２２）の内部に設けられるヒーター（２９）とを備えており、
ヒーター（２９）に対する通電状態は、オフ状態と、発熱温度が大小に異なる少なくとも２段階のオン状態とに切換え可能に構成されており、
整形体（３）を塗布体（２）に装着した状態におけるヒーター（２９）の発熱温度が、整形体（３）を塗布体（２）から分離した状態におけるヒーター（２９）の発熱温度より低温に設定してあることを特徴とするマスカラ塗布具。
【請求項２】
塗布ロッド（１１）を支持するキャップ（１０）と、整形ロッド（２１）を支持する整形グリップ（２０）とが着脱可能に設けられており、
キャップ（１０）と整形グリップ（２０）との接当部に、整形体（３）が塗布体（２）に装着されたことを検知する検知スイッチ（１１０）が設けられており、
前記検知スイッチ（１１０）の検知信号に基づき、ヒーター（２９）の発熱状態が低温状態に設定される請求項１に記載のマスカラ塗布具。
【請求項３】
塗布ロッド（１１）を支持するキャップ（１０）と、整形ロッド（２１）を支持する整形グリップ（２０）とが着脱可能に設けられており、
整形グリップ（２０）にヒーター（２９）への通電状態を切換えるスイッチノブ（３４）が設けられており、
スイッチノブ（３４）は、ヒーター（２９）の発熱状態が低温状態に設定される第１のオン状態と、ヒーター（２９）の発熱状態が高温状態に設定される第２のオン状態とに切換え可能に構成されており、
スイッチノブ（３４）の移動軌跡に臨むキャップ（１０）に、スイッチノブ（３４）の切換え動作を規制する規制部（５６）が設けられており、
整形体（３）を塗布体（２）に装着した状態において、第１のオン状態に切換えられたスイッチノブ（３４）を前記規制部（５６）で受止めて、ヒーター（２９）の発熱状態が低温状態に設定される請求項１に記載のマスカラ塗布具。
【請求項４】
塗布体（２）がマスカラ液を収容する容器（１）に着脱自在に装着されて、塗布ロッド（１１）が容器（１）の内部に差し込まれており、
塗布体（２）のキャップ（１０）に、容器（１）用の連結部と、整形体（３）用の連結部とが設けられており、
容器（１）用の連結部に、前記規制部（５６）が設けてある請求項３に記載のマスカラ塗布具。
【請求項５】
スイッチノブ（３４）と、同ノブ（３４）の内面側に設けたストッパー（９３）とが、整形グリップ（２０）に設けたノブ座（９２）でスライド案内されており、
ストッパー（９３）のスライド軌跡に臨む容器（１）用の連結部に、前記規制部（５６）が設けてある請求項４に記載のマスカラ塗布具。
【請求項６】
キャップ（１０）に設けた容器（１）用の連結部がねじキャップ（５２）で構成されており、
規制部（５６）が、ストッパー（９３）のスライド軌跡に臨むねじキャップ（５２）の肩壁に形成してある請求項４または５に記載のマスカラ塗布具。
【請求項７】
整形体（３）用の連結部が、ねじキャップ（５２）に連続する連結ボス（５４）と、連結ボス（５４）の周囲に設けた連結溝（５５）とで構成されており、
整形グリップ（２０）の内部に、前記連結溝（５５）を係合捕捉する複数の弾性連結腕（６８）を備えた連結リング（６４）が配置されており、
連結リング（６４）の周囲に、ストッパー（９３）をスライド案内するガイド凹部（６９）が形成してある請求項５または６に記載のマスカラ塗布具。